Podtech/llm-jp-corpus-v4-ja_patent huggingface dataset:
(57)【要約】      （修正有）【課題】ナット、スパック（又は、ばね座金、皿ばね座金）、多角形座金の三部品とボルトとの締付けを確実にし、フィルム紙廃止による締付け忘れの防止、ゴミの廃棄防止を可能にした一体型スパックナットを提供する。【解決手段】ナット１の下部にリンク状のカラー１−１´を設け、ここにスパック２（又は、ばね座金３、皿ばね座金４）の内側を通した後、多角形座金５の内径の突起部５−１´側から通したカラーの先端を多角形座金の突起穴に引っ掛るようにカシメ又はカラーのばね性を利用して圧入フック止めを形成し、嵌合させて一体化させる。【選択図】図１
0003199721.tif 000002
【実用新案登録請求の範囲】
【請求項１】
多角形座金、スパックワッシャ、ナット三部品をナット内部より引き出したカシメ部にて締結させ一体化させる一体型スパックナット。
【請求項２】
外径形状は、丸または多角形の物で良く、平座金の内側に突起部分を作製し、三部品を組み込んだものをボルトに通し、締付ける時に供回りしないことを特徴とする請求項１に記載の一体型スパックナット。
【考案の詳細な説明】
【技術分野】
【０００１】本考案は複数重ねた部品、ボルトに締め付ける際に用いるナット・ワッシャに関するものである。
【背景技術】
【０００２】従来各種構造物をボルト・ナットで締付ける際、作業場における不利な条件（例．建築現場、鉄塔などの高所）では、ネジ締付け作業の単純化とその確実性が要求されてきた。この作業に使われる締付け部品である。
ナット、スパック（又は、ばね座金、皿ばね座金）、平座金の三部品は作業者が数組携帯しセットで持ち、作業をする。従来、同セット方法は三部品をフィルムで包んで組にしていた。
そして、締付け作業は取付け箇所でこのフィルムを手ではがし、ボルトに平座金、スパック（又は、ばね座金、皿ばね座金）を挿入しナットで締付けていた。
【先行技術文献】
【０００３】
【特許文献１】  特開平６−１９３６２６
【特許文献２】  特開平１０−９２４３
【考案の概要】
【考案が解決しようとする課題】
【０００４】従来の締付け作業は、次のような欠点があった。
（イ）従来品［図３］を使用する際、フィルムをはがしたり直接ボルトに挿入したり、作業者によって使用方法が異なり締付け時間を要した。又、作業の煩わしさから部品の締付け忘れやナット締付けに注意を要した。
（ロ）ボルト締付け前後でフィルム紙を捨てる必要から、作業工数が掛り、又、不要となったフィルム紙の廃棄が環境面でも問題となった。
（ハ）フィルム紙で一体包装する方法は、バネ座金類の外径形状、平座金の外径形状が大、小、異形になると包装が難しく、実用に成約される事も生じる。
（ニ）本考案は、これらの問題点を解決するために考案されたものである。
【課題を解決するための手段】
【０００５】従来のフィルム紙で包装していた［図３］の使用をやめ、平座金、スパック（又は、ばね座金、皿ばね座金）を組み込んだ［図２］を使用する。
一体型スパックナットはフィルムで包装しない為、ボルトに直接使用出来る。又、同製品の成形は、ナット、座金、スパック（又は、ばね座金、皿ばね座金）における特性効率に直接影響を及ぼさないので、その形状は、丸でも多角形（例．四角）でも実用可能である。
【考案の効果】
【０００６】（イ）ナットの下部についた１−１´に、スパック（又は、ばね座金、皿ばね座金）を内径側に突起のついた丸形（多角形５−１）の座金に組込む。
（ロ）フィルム紙を使用しないので締付け忘れを防げる。
（ハ）フィルム紙を使用しないので作業工程が削減される。
（ニ）フィルム紙を使用しないのでゴミが出ず、環境面で貢献できる。
（ホ）スパック（又は、ばね座金、皿ばね座金）と多角形（例：丸角）座金が、ナットと同時に回転しないため、作業効率アップに貢献できる。
【図面の簡単な説明】
【０００７】
【図１】  本考案の斜視図
【図２】  本考案の断面図
【図３】  従来品の包装図
【図４】  本考案の断面図  （締付け前→締付け後）
【図５】  従来の取付断面図  （締付け前→締付け後）
【図６】  本考案の使用状態を示す斜視図
【考案の実施するための形態】
【０００８】以下  本考案の実施の形態を説明する。
（イ）ナット１の下部にリンク状のカラー（詰襟）１−１´を設け、ここにスパック２（又は、ばね座金３、皿ばね座金４）の内側を通した後、多角形座金５の内径の突起部５−１´側から通したカラー（詰襟）の先端を多角形座金の突起穴に引っ掛るようにカシメ又はカラーのばね性を利用して圧入フック止めで嵌合させて一体化組込みをしてある。
（ロ）このナットのカラー形状は長さ（５〜１０ｍ／ｍナットのサイズにより異なる）で内径はスパック（又は、ばね座金、皿ばね座金）、平座金の内径と緩みを持った寸法にし動きに自由度を持たせて、ナット締付けに対する特性効率に影響を及ぼさないように配慮した。
（ハ）本考案の一体型スパックナットを使用して締付ける作業は、フィルム紙がないため、そのままボルトに挿入出来るので、従来の煩わしい作業がなくなり工数低減に大きく貢献できる。
【符号の説明】
【０００９】１．ナット    （ＪＩＳ規格品）
２．スパック
３．ばね座金
４．皿ばね座金
５．多角形（例：丸型）座金
６．ボルト
７．部品
【図１】
0003199721.tif 000003
【図２】
0003199721.tif 000004
【図３】
0003199721.tif 000005
【図４】
0003199721.tif 000006
【図５】
0003199721.tif 000007
【図６】
0003199721.tif 000008
【手続補正書】
【提出日】平成27年6月19日(2015.6.19)
【手続補正１】
【補正対象書類名】実用新案登録請求の範囲
【補正対象項目名】全文
【補正方法】変更
【補正の内容】
【実用新案登録請求の範囲】
【請求項１】
ナット１の下部にリンク状のカラー（詰襟）１−１´を設け、ここにスパック２（又は、ばね座金３、皿ばね座金４）の内側を通した後、多角形座金５の内径の突起部５−１´側から通したカラー（詰襟）の先端を多角形座金の突起穴に引っ掛るようにカシメ又はカラーのばね性を利用して圧入フック止めで嵌合させて一体化させる一体型スパックナット。
【請求項２】
底部の多角形座金５の外径形状は丸または多角形の物で良く内側には突起部分を作製してあり、一体化された三部品である多角形座金５、スパック２（又は、ばね座金３、皿ばね座金４）、ナット１の内側からボルトを通すと、締付け時に多角形座金の突起穴に引っ掛るようにナット底部１がカシメ又はカラー形状にしているため、ナットのみがボルトと締め付け合い、供回りしないことを特徴とする請求項１に記載の一体型スパックナット。
(57)【要約】      （修正有）【課題】異常音を奏鳴し、ポリ袋のジッパーの閉じ忘れによる事故を防ぐポリ袋を提供する。【解決手段】ポリ袋のジッパーのトレンチ１とレール２に微細な瘤や蛇行を施し、その開閉時に発する異常音でその開閉状態を操作者・周辺者は認識する。これはジッパーの製作コストを大幅に上げる事無く達成できる最適な工夫である。【選択図】図２
0003199728.tif 000002
【実用新案登録請求の範囲】
【請求項１】
ポリ袋のジッパーを開閉する時  異常な音を奏鳴し  操作者や周囲者がその開閉状況を容易・確実に認識できるポリ袋。
【考案の詳細な説明】
【技術分野】
【０００１】  従来  この分野のポリ袋では  開口部に何も工夫がない故に  そのジッパーの現状況が判別され難く  トラブルの種になり勝ちであった。
【背景技術】
【０００２】  ポリ袋の材料・加工コストを大幅に換える事無く  奏鳴させる工夫である。
【考案の開示】
【考案が解決しようとする課題】
【０００３】ジッパーの開閉時にそれを奏鳴させる事により  操作者や周囲者に状況を認識させる。
但し  その為に  コストアップな材料や工法は採用しない。
【課題を解決するための手段】
【０００４】  ジッパーのトレンチ部とレール部に  微細な瘤  又は  僅かな蛇行を持たせる。
【考案の効果】
【０００５】  加工設備・工程に大きな違いも無く使途に何等制限も無く使い勝手は大幅に改善される。
【考案を実施するための最良の形態】
【０００６】図１のようにジッパーのトレンチ部とレール部に  微細な瘤・僅かな蛇行を持たせる。
【実施例１】
【０００７】図２のような  奏鳴ジッパーの内側に  一般的密閉用ジッパーを連設する場合もある。
【産業上の利用可能性】
【０００８】  ポリ袋に限らず  幼育・介護の被服に奏鳴ジッパーは有効である
【図面の簡単な説明】
【０００９】
【図１】ジッパーのトレンチ部とレール部に  微細な瘤又は僅かな蛇行を持たせる。
【図２】奏鳴ジッパーの内側に  一般的密閉用ジッパーを連設する
【符号の説明】
【００１０】１  ジッパーのトレンチ部分
２  ジッパーのレール部分
３  一般的密閉用ジッパー
【図１】
0003199728.tif 000003
【図２】
0003199728.tif 000004
【手続補正書】
【提出日】平成27年6月18日(2015.6.18)
【手続補正１】
【補正対象書類名】実用新案登録請求の範囲
【補正対象項目名】全文
【補正方法】変更
【補正の内容】
【実用新案登録請求の範囲】
【請求項１】
ポリ袋ジッパーの  トレンチ側やレール側に有る  微細な瘤や蛇行に因り  その開閉時異常音を発する事を特徴とするポリ袋。
(57)【要約】      （修正有）【課題】フナのかかっていないフリーとなっている針の動きを抑え、針による根がかりを回避することができるメガネ形サルカンを提供する。【解決手段】メガネ形サルカンは、一定の長さを残したハリス７または針の付いたハリス８を挟みやすくするための隙間のある輪３と、輪３の隙間を挟んで設けられた長い棒１と短い棒２と、長い棒の片方の端に針の付いたハリス８を通すための隙間なくつながっている輪４とを有し、長い棒と短い棒はハリス７またはハリス８を挟むためお互いが接するように並んで設けられている。【選択図】図３
0003199724.tif 000002
【実用新案登録請求の範囲】
【請求項１】
隙間のある輪に、輪の隙間を挟んで長い棒と短い棒を、お互いが接するように並んで設ける。
長い棒の片方の端に、隙間なくつながっている輪を設ける。
使用方法は、隙間のある輪に道糸をくくりつける。
針の付いたハリスを２本用意しハリスを８の字結びでつなげる。
８の字結びの余分なハリス２本の内、１本は結び目近くで切り、残りの１本は一定の長さを残したハリスとする。
隙間なくつながっている輪に、針の付いたハリスの針を通し、８の字結びの結び目が隙間なくつながっている輪のところに位置するようにする。
一定の長さを残したハリスを、長い棒と短い棒が並んで接している間へ入れる。
このように設定することによって、フナのかかっていない時は、一定の長さを残したハリスが、長い棒と短い棒が並んで接している間に挟まっているため、ハリスの動きが仮止めされている状態となる。
そして、片方の針にフナがかかった時は、フナのかかった針の付いたハリスが引張られ、一定の長さを残したハリスが、長い棒と短い棒が並んで接している間に挟まっている状態から、抜け、フナのかかっていない針の付いたハリスは隙間なくつながっている輪を通って移動し、フナのかかっていない針は、隙間なくつながっている輪まで引っ張られて移動し、隙間なくつながっている輪に引っ掛かって固定されることによって、針の動きが抑えられ、針による根がかりを回避することができる。
【考案の詳細な説明】
【考案の開示】
【考案が解決しようとする課題】
【０００１】へらフナ釣りにおいて、道糸を結んだ丸サルカンに針のついたハリスを２本結び付けた状態でおこなう底釣りは、フナがかかると、フナを取り込む時にフナが暴れることにより、フナのかかっていないフリーとなっている針は、水中の植物や枯れ枝などの障害物に根がかりを起こしフナの取り込みに大変苦労することがある。
フナのかかっていないフリーとなっている針の動きを抑えることが課題であった。
【課題を解決するための手段】
【０００２】上記課題を解決するため、隙間のある輪に、隙間を挟んで長い棒と短い棒を、お互いが接するように並んで設ける。
長い棒の片方の端に、隙間なくつながっている輪を設ける。
使用方法は、隙間のある輪に道糸をくくりつける。
針の付いたハリスを２本用意しハリスを８の字結びでつなげる。
８の字結びの余分なハリス２本の内、１本は結び目近くで切り、片方の余分なハリスは一定の長さを残して切る。
隙間なくつながっている輪に、針の付いたハリスの針を通し、８の字結びの結び目が輪のところへくるようにする。
一定の長さを残したハリスを、長い棒と短い棒が並んで接している間へ入れる。
【考案の効果】
【０００３】上記課題を解決するため、隙間のある輪に、輪の隙間を挟んで長い棒と短い棒を、お互いが接するように並んで設ける。
長い棒の片方の端に、隙間なくつながっている輪を設ける。
使用方法は、隙間のある輪に道糸をくくりつける。
針の付いたハリスを２本用意しハリスを８の字結びでつなげる。
８の字結びの余分なハリス２本の内、１本は結び目近くで切り、残りの１本は一定の長さを残したハリスとする。
隙間なくつながっている輪に、針の付いたハリスの針を通し、８の字結びの結び目が隙間なくつながっている輪のところに位置するようにする。
一定の長さを残したハリスを、長い棒と短い棒が並んで接している間へ入れる。
このように設定することによって、フナのかかっていない時は、一定の長さを残したハリスが、長い棒と短い棒が並んで接している間に挟まっているため、ハリスの動きが仮止めされている状態となる。
そして、片方の針にフナがかかった時は、フナのかかった針の付いたハリスが引張られ、一定の長さを残したハリスが、長い棒と短い棒が並んで接している間に挟まっている状態から、抜け、フナのかかっていない針の付いたハリスは隙間なくつながっている輪を通って移動し、フナのかかっていない針は、隙間なくつながっている輪まで引っ張られて移動し、隙間なくつながっている輪に引っ掛かって固定されることによって、針の動きが抑えられ、針による根がかりを回避することができる。
【図面の簡単な説明】
【０００４】
【図１】メガネ形サルカンの正面図である。
【図２】メガネ形サルカンの側面図である。
【図３】本体に針の付いたハリスをセットした正面図である。
【符号の説明】
【０００５】１  長い棒
２  短い棒
３  隙間のある輪
４  隙間なくつながっている輪
５  輪の隙間
６  長い棒と短い棒が並んで接している間
７  一定の長さを残したハリス
８  針の付いたハリス
９  ８の字結び
１０  道糸
【図１】
0003199724.tif 000003
【図２】
0003199724.tif 000004
【図３】
0003199724.tif 000005
【手続補正書】
【提出日】平成27年5月27日(2015.5.27)
【手続補正１】
【補正対象書類名】実用新案登録請求の範囲
【補正対象項目名】全文
【補正方法】変更
【補正の内容】
【実用新案登録請求の範囲】
【請求項１】
一定の長さを残したハリス（７）または針の付いたハリス（８）を挟みやすくするための隙間のある輪（３）と、隙間のある輪（３）の隙間を挟んで設けられた長い棒（１）と短い棒（２）と、長い棒（１）の片方の端に針の付いたハリス（８）を通すための隙間なくつながっている輪（４）とを有し、長い棒（１）と短い棒（２）は一定の長さを残したハリス（７）または針の付いたハリス（８）を挟むためお互いが接するように並んで設けられていることを特徴とするメガネ形サルカン。
(57)【要約】      （修正有）【課題】画像や動画、音声が挿入でき挿入した情報を地図ごと他の情報表示機器に移動できるカーナビゲーションを提供する。【解決手段】カーナビゲーション本体１の表示する地図の位置に、画像２、動画、音声を挿入及び記録し、記録された画像２、動画、音声情報を地図情報と共に他の電子表示機器に出力する制御部、及び記録された画像２、動画、音声情報を表示する表示部を備える。カーナビゲーション本体１のケーブルを接続する出力口４にケーブル５を繋ぎ、他の情報表示機器に情報を移動し再生させる。【選択図】図１
0003199729.tif 000002
【実用新案登録請求の範囲】
【請求項１】
カーナビゲーション本体の表示する地図の位置に、画像、動画、音声を挿入し記録させ、前記記録された画像、動画、音声情報を地図情報と共に他の電子表示機器に出力させる装置を搭載することを特徴とする画像や動画、音声が挿入でき挿入した情報を地図ごと他の情報表示機器に移動できるカーナビゲーション。
【考案の詳細な説明】
【技術分野】
【０００１】  本考案は、カーナビゲーションに画像や動画、音声を挿入したり、挿入し名前をつけて保存した前記画像や動画、音声、地図情報を他の機器に移動させる機能を付属させるカーナビゲーションに関するものである。
【背景技術】
【０００２】  従来、カーナビゲーションは、人工衛星からの情報を受け取り、それを表示するのみでその地点での画像、動画、音声を挿入する機能もその情報を他に移動させる機能もなかった。
【考案の概要】
【考案が解決しようとする課題】
【０００３】  カーナビゲーションの任意の通過位置に、画像、動画、音声を挿入し記録する機能を提供し、それを、再生や編集ができる。またカーナビゲーション以外の情報表示機器に移し再生、編集などの加工ができる。
【課題を解決するための手段】
【０００４】  本考案は、カーナビゲーションに画像、動画、音声を挿入したり記録する装置を付属させることで、運転者の任意の通過位置で、カーナビゲーションに画像、動画、音声を挿入し、その記録された情報を他の携帯端末、パソコン等の表示機器に無線及びケーブルを使って移し再生させたり編集することもできる。
【考案の効果】
【０００５】  従来、カーナビゲーションは道案内の機能だけを有し、運転者のドライブが持つ楽しさを記録、再生することができなかった。画像、動画、音声を挿入することにより、運転者独自の旅日記的なものができ、それを他の携帯端末に移動し友達と共有したりブログ等で発信することで、ドライブの楽しさがより一層増大し、観光産業に波及効果が見込める。ドライブに、より一層の楽しさを付加することにより、車の購入者を増やすことにもつながる。新しい電子機器による経済効果、雇用の創出も見込める。
【図面の簡単な説明】
【０００６】
【図１】カーナビゲーションに写真を挿入した図
【図２】他の表示機器に出力し他の表示機器で再生させた図
【考案を実施するための形態】
【０００７】  カーナビゲーションに画像、動画、音声記録装置を搭載させ、地図上の挿入させたい位置で画像、音声を入力し記録する。記録された画像、動画、音声が折り畳まれていることを表すタッチパネル式のアイコンを地図上に表示する機能も付属させ、再生したい時には前記アイコンをクリックすることとする。前記カーナビゲーションには他の表示機器に情報を流す機能も有し、地図情報と画像、音声情報を携帯端末、パーソナルコンピューター等に無線及びケーブルで流し再生したり編集したりすることもできることとする。
【実施例】
【０００８】  以下添付図に従って、一実施例を説明する。１は、カーナビゲーション本体であり、２の写真や動画、音声を挿入することができる。３は、画像、動画、音声が挿入され折り畳まれていることを示す、アイコンである。【０００９】  ４はカーナビゲーションに設けられた、ケーブルを接続する出力口である。５は出力のためのケーブルであり、６は他の表示機器に入力された情報を再生させたものである。
【符号の説明】
【００１０】  １  カーナビゲーション本体
２  挿入された画像や文字説明
３  挿入された画像や文字が折り畳まれた状態を示すアイコン
４  情報を出力するケーブル接続口
５  ケーブル
６  他の画像表示機器に出力させたものを再生したものである
【図１】
0003199729.tif 000003
【手続補正書】
【提出日】平成27年6月12日(2015.6.12)
【手続補正１】
【補正対象書類名】実用新案登録請求の範囲
【補正対象項目名】全文
【補正方法】変更
【補正の内容】
【実用新案登録請求の範囲】
【請求項１】
カーナビゲーション本体の表示する地図の位置に、画像、動画、音声を挿入及び記録し、記録された画像、動画、音声情報を地図情報と共に他の電子表示機器に出力する制御部、及び記録された画像、動画、音声情報を表示する表示部を備えたことを特徴とする画像や動画、音声が挿入でき挿入した情報を地図ごと他の情報表示機器に移動できるカーナビゲーション。
【手続補正２】
【補正対象書類名】明細書
【補正対象項目名】０００６
【補正方法】変更
【補正の内容】
【０００６】
【図１】カーナビゲーションに写真を挿入したものを他の表示機器に出力し他の表示機器で再生させた図
(57)【要約】      （修正有）【課題】台風、竜巻等の暴風から家屋やマンションなどの建物の窓を防護するための防護装置を提供する。【解決手段】本防護装置は、着脱自在な吸盤により窓枠（外壁を含む）又は窓に防護材を取り付けることで、規格外サイズの窓に合わなくても覆い隠すことができ、サイズパターンを幾つか限定し量産することで安い価格を可能にするという特徴を有し、必要時のみ取り付けることで窓のデザイン性を損なわなく、窓に直接貼らず窓枠に固着すれば暴風等の衝撃を受けても窓自体が損傷しにくくなるという特徴を持つ。【選択図】図１
0003199735.tif 000002
【実用新案登録請求の範囲】
【請求項１】
防護材のへりに吸盤を取り付け、家屋等に接着させる面については着脱自在な状態を有するという構造を有する防護装置。
【考案の詳細な説明】
【技術分野】
【０００１】本考案は台風、竜巻等の暴風から家屋やマンションなどの建物（以下、「家屋等」という。）の窓を防護するための防護装置に関する。
【背景技術】
【０００２】従来の防風対策の一般的な装置としては、家屋等に取り付けられているシャッター装置もしくは飛散防止フィルムがある。
【考案の概要】
【考案が解決しようとする課題】
【０００３】一般的に家屋等に取り付けられているシャッターについては、多くの家屋等では規格サイズの窓のみに取り付けられていることが多い。デザイン性の高い窓や出窓などの規格外のサイズの窓（以下、「規格外サイズの窓」という。）についてはシャッターがついていないことが大半であるが、理由としては、規格外サイズの窓に取り付けるシャッターは非常に高価になること、シャッターを付けることでデザイン性が損なわれることが挙げられる。
また、飛散防止フィルムについては、規格外サイズの窓に貼り付けることで防護効果を高めることは可能であるが、窓に直接貼る構造であるため暴風や瓦などの飛来物（以下、「暴風等」という。）の衝撃を受けると窓自体が損傷するという問題がある。
【課題を解決するための手段】
【０００４】着脱自在な吸盤により、窓枠（外壁を含む）及び窓（、以下「窓枠等」という。）に防護材を取り付ける方法を用いることで、規格外サイズの窓にちょうど合わなくても覆い隠すことができるサイズなら使用可能になるためサイズパターンを幾つか限定し量産することで安い価格を可能にするという特徴、吸盤により必要時のみ取り付けることでデザイン性を損なわないという特徴、窓に直接貼らずに窓枠に固着する場合には暴風等の衝撃を受けても窓自体が損傷しにくくなるという特徴を持つ防護装置。
【考案の効果】
【０００５】一般的に使用されているシャッターが持つ、窓の規格サイズにちょうど合わせなければならないため高価になるという問題については、本防護装置については規格外サイズの窓にサイズがちょうど合わなくても覆い隠すことができればよいため、サイズパターンを幾つか限定し量産することで安い価格を実現することができ経済的である。また、一般的に使用されているシャッターは家屋等から容易に取り外しができない構造であるが、容易に取り外すことができる本防護装置を使用すれば、必要時のみ取り付けることが可能であるためデザイン性を損なわない。
飛散防止フィルムが持つ、暴風等の衝撃を受けることで窓自体が損傷してしまうという問題については、本防護装置を窓に直接貼らずに窓枠に固着すれば衝撃を受けても窓自体が損傷しにくいという利点を持つ。
【図面の簡単な説明】
【０００６】本防護装置は、防護材のへりに吸盤を取り付けることを基本構造としており、使用時には吸盤を窓枠等に接着し固定する。
防護材の窓側部分には一面に緩衝材を設けており、防風等で衝撃を受けても窓が損傷しにくく工夫している。
【図１】本防護装置の断面図である。本図を見やすくするため、各構成材間に隙間を設けているが、実物では各構成材間は密着している。
【図２】本防護装置を緩衝材側から見た平面図である。
【図３】本防護装置を防護材側から見た平面図である。
【考案を実施するための形態】
【０００７】吸盤の粘着力を用いて、本防護材を、窓を覆うように窓枠等に接着する。
【実施例】
【０００８】プラスチック製の防護材のへりに吸盤を取り付ける。次に、防護材の吸盤取付内側部分にスポンジ製の緩衝材を取り付ける。それを家屋の窓を覆うように設置する（この時、吸盤をしっかり家屋の外壁に接着させる）。
【産業上の利用可能性】
【０００９】本防護装置については、一般の市民では暴風等に耐えうるバランスのとれた構成材を選択することが非常に困難であり、また安全性の高い防護装置に組立てることも難しいと考えられる。そのため、民間企業の豊富な知識・技術に基づいた構成材の選択、防護装置の組立てによる商品化が必須であると考えられる。
【図１】
0003199735.tif 000003
【図２】
0003199735.tif 000004
【図３】
0003199735.tif 000005
(57)【要約】      （修正有）【課題】ペットボトルのキャップにストローを差し込む孔を何時、何処でも自由にあけることができるペットボトルストロー孔あけ治具を提供する。【解決手段】キャップ孔あけ軸１を多角錐状に加工し、さらに先端を半円球にしたキャップ孔あけ部２を設け、キャップガイド３の内側にキャップ孔あけ軸１を挿入し、キャップガイド３と一体化させる。【選択図】図１
0003199738.tif 000002
【実用新案登録請求の範囲】
【請求項１】
キャップ孔あけ軸（１）を多角錐状に加工し、さらに先端を半円球にした孔あけ（２）を設け、キャップガイド（３）の内側にキャップ孔あけ軸（１）を挿入し、キャップガイド（３）と一体化したペットボトルストロー孔あけ治具。
【考案の詳細な説明】
【技術分野】
【０００１】  本考案は、ペットボトルのキャップにストローを差し込む孔を何時、何処でも自由にあけることができるペットボトルストロー孔あけ治具に関するものである。
【背景技術】
【０００２】  従来、キャップを改造した商品はあるが、この商品自体一般的に普及率が低く、中々手に入らない。
【考案の概要】
【考案が解決しようとする課題】
【０００３】  そのために、次のような問題点がある。
あらかじめストロー孔をあけておくことにより、
（イ）車両の運転に支障なく飲める。
安全運転に繋がる。
車を運転しているとき、キャップを外す行為は、片手ではできず、両手では運転に    危険が伴う。
そこで、あらかじめストロー孔をあけ、ストローを差し込んでおけばいつでも飲み    たいときに簡単に飲むことができる。
また、車両の振動によるこぼれもない。
（ロ）会議中でも顔の高さまで上げる必要がなくなる。
気兼ねなく飲める。
デスクワーク中であっても、自然の状態で飲める。
本考案は、何時、何処でも簡単にストロー孔があけられる目的で考案した。
本考案は、これらの問題点を解決されるためになされたものである。
【課題を解決するための手段】
【０００４】（イ）キャップ孔あけ軸（１）を多角錘状に加工し、さらに先端を半円球にした孔あけ部    （２）を設ける。
（ロ）キャップガイド（３）の内側にキャップ孔あけ軸（１）を挿入し、キャップガイド    （３）と一体化させる。
以上のように構成されたペットボトルストロー孔あけ治具である。
【考案の効果】
【０００５】  本考案は、ペットボトルのキャップに「孔あけ治具」をかぶせ上から押すことにより、キャップに孔を開け、孔にストローを差し込めるといった簡単な治具である。
治具の外観は押し易い形状とし、色も人の好みにより、多種用意が可能である。
孔を開ける先端は細いが、断面は半球となっており、人に刺さることはなく安全である。
本「孔あけ治具」は、ストロー差し込み口の用意されていない全く一般に出回っているペットボトル全てに適用され、何時、何処でも、好きなときにストローが使用できる大変便利な治具である。
孔を開ける先端は細いが、断面は半球となっており、人に刺さることはなく安全である。
また、孔をあける軸を樹脂と融合させ一体化とするため清掃は容易であり、また、衛生的である。
【図面の簡単な説明】
【０００６】
【図１】  本考案の断面図である。
【図２】  本考案の平面図である。
【図３】  本考案の底面図である。
【図４】  本考案の孔あけの状態の説明図である。
【図５】  （ａ）は本考案の孔をあけた状態を示したキャップの平面図で、（ｂ）は本考案のペットボトルの側面図である。
【考案を実施するための形態】
【０００７】  以下、本考案の形態について説明する。
（イ）キャップ孔あけ軸（１）を多角錐状に加工し、さらに先端を半円球にした孔あけ部    （２）を設ける。
（ロ）キャップガイド（３）の内側にキャップ孔あけ軸（１）を挿入し、キャップガイド    （３）と一体化させる。
本考案は以上のような構造である。
本考案を使用するときは、ペットボトル（５）のキャップ（４）の中心にキャップガイド（３）をあてがい下方向に押す。
キャップガイド（３）を抜き、孔あけ後のキャップ（６）にストローを差し込み、内容物を飲むことができる。
【符号の説明】
【０００８】    １  キャップ孔あけ軸
２  キャップ孔あけ部
３  キャップガイド
４  キャップ
５  ペットボトル
６  孔あけ後のキャップ
【図１】
0003199738.tif 000003
【図２】
0003199738.tif 000004
【図３】
0003199738.tif 000005
【図４】
0003199738.tif 000006
【図５】
0003199738.tif 000007
(57)【要約】      （修正有）【課題】カーテンレールからカーテンランナーを簡単に取り外しできるように工夫したカーテンレールを提供する。【解決手段】カーテンレール１の両端に、開口部４を設け、カーテンをフックでつるし、カーテンを動かすと滑って動くカーテンランナー２を開口部４より自由に出し入れできるようにし、カーテンレール１の両端の開口部４に、ぴたりとはまり固定される形状にしたカーテンフック受け３を取り付けることにより、カーテンランナー２が自由に出し入れできないようにした。【選択図】図５
0003199737.tif 000002
【実用新案登録請求の範囲】
【請求項１】
カーテンレール（１）の両端に、カーテンレールの長手方向に対して鉛直側面の向きに開口部（４）を設け、カーテンをフックでつるし、カーテンを動かすと滑って動くカーテンランナー（２）を開口部（４）より自由に出し入れできるようにし、カーテンをつるした際、カーテンレール（１）の両端に位置する場所の開口部（４）に、カーテンランナー（２）よりも大きく、開口部（４）にちょうどはまり固定される形状にしたカーテンフック受け（３）を取り付けることにより、カーテンランナー（２）が自由に出し入れできないようにしたことを特徴とするカーテンレール。
【考案の詳細な説明】
【技術分野】
【０００１】主として日用雑貨や住宅設備に関する商品を販売している、ホームセンターや家具店、コンビニエンスストア等で売られている金属製、木製、プラスチック製のカーテンレールおよびカーテンのフックを引っかけるカーテンランナーに関する。
【背景技術】
【０００２】カーテンをカーテンレールにつるす際、カーテンランナーの穴にカーテンのフックをとおしていたが、滑りが悪く引っかかった際に強く引っ張るとカーテンランナーの穴が切れたり、割れたりして壊れたりして使用不能となり、カーテンランナーの数が不足してしまうという不便な点があった。また、カーテンを新調した場合もフックの数が増えた場合、カーテンランナーが足りなくなる場合もあった。
【考案の開示】
【考案が解決しようとする課題】
【０００３】本校案によれば、簡単にカーテンランナー（２）を増やしたり、交換したり出来るようになる。つまり、カーテンレール（１）自体を止めているネジを緩めるなどして、窓枠や壁から取り外して、カーテンレール（１）の両端のカバーを外すという面倒な作業を行わなくても、カーテンフック受け（３）をカーテンレール（１）端部より外すことにより、簡単にカーテンランナー（２）をカーテンレール（１）に入れたり、出したり、交換したり、追加したりできる。
【課題を解決するための手段】
【０００４】カーテンレール（１）の両端に、カーテンレールの長手方向に対して鉛直側面の向きに開口部（４）を設け、カーテンをフックでつるし、カーテンを動かすと滑って動くカーテンランナー（２）を開口部（４）より自由に出し入れできるようにし、カーテンをつるした際、カーテンレール（１）の両端に位置する場所のカーテンランナー（２）のサイズを大きくして開口部（４）にぴたりとはまり固定される形状の固定用カーテンフック受け（３）とし、開口部（４）はふさがれて、カーテンランナー（２）が自由に出し入れできないようにしたことを特徴とするカーテンレール。また、本考案では、カーテンレール（１）の形状は（図１）および（図３）の丸形、（図２）および（図４）の角形のいずれにおいても問題なく実現可能である。この固定用カーテンフック受け（３）にはカーテンのフックをかけることができる穴が設けてあるため、フックをこの穴に通せばカーテンを固定することができる。
【実施例】
【０００５】（図１）および（図３）が本考案のカーテンレール（１）の形状が丸形の固定用カーテンフック受け（３）実施例で、（図２）と（図４）が本考案のカーテンレール（１）の形状が角形の固定用カーテンフック受け（３）実施例ある。（図５）は本考案の実施例の概念図である。
【考案の効果】
【０００６】本校案によれば、カーテンレール（１）を外して、カーテンランナー（２）を追加したり、交換したりという面倒な作業をすることなく、分割フック（１０）を分解して開口部（４）より外すことにより、カーテンランナー（２）の追加や交換を行うことが出来る。
【図面の簡単な説明】
【図１】本考案の丸形カーテンレール斜視図
【図２】本考案の角形カーテンレール斜視図
【図３】本考案の丸形カーテンレールのカーテンフック受け（３）を取り付けた場所の断面図
【図４】本考案の角形カーテンレールのカーテンフック受け（３）を取り付けた場所の断面図
【図５】本考案の実施例の概念図
【符号の説明】カーテンレール・・・（１）              カーテンランナー・・・（２）
固定用カーテンフック受け・・・（３）    開口部・・・（４）    溝・・・（５）
0003199737.tif 000003
【図３】
0003199737.tif 000004
【図４】
0003199737.tif 000005
【図５】
0003199737.tif 000006
【手続補正書】
【提出日】平成27年7月15日(2015.7.15)
【手続補正１】
【補正対象書類名】図面
【補正対象項目名】全図
【補正方法】変更
【補正の内容】
【図１】
0003199737.tif 000007
【図２】
0003199737.tif 000008
【図３】
0003199737.tif 000009
【図４】
0003199737.tif 000010
【図５】
0003199737.tif 000011
(57)【要約】      （修正有）【課題】切り外し後、取り出しやすいトイレットペーパーを提供する。【解決手段】トイレットペーパー１の裂断する線上において、トイレットペーパー両端からミシン目２を刻した直線を会い交わらないように途中で停め、停止位置から取り出し方向に向かって突出部３を設け、突出部にはミシン目でなく切り込み線４を入れる。切り込み線から成る突出部とミシン目からなる領域は裂断時にそれぞれが独立した動きで切り取られるため裂断後には必ず両部位で段差が生じるために次回使用時に確実かつ容易に引き出すことが可能となる。【選択図】図１
0003199733.tif 000002
【実用新案登録請求の範囲】
【請求項１】
トイレットペーパーの裂断する線上に関して、該トイレットペーパー両端からミシン目を刻した直線を会い交わらないように途中で停め、該停止点から取り出し方向に沿って切り込み線で形成された突出部を設けたトイレットペーパー。
【請求項２】
突出部形状が矩形、半円形、楕円形、或いは三角形から成る請求項１記載のトイレットペーパー。
【考案の詳細な説明】
【技術分野】
【０００１】本考案は、トイレットペーパーの裂断線上に突出部を具備させたトイレットペーパーに関する。
【背景技術】
【０００２】従来、トイレットペーパーを切り外す際に該トイレットペーパーのミシン目線部をホルダーカバーに押し当て裂断しているが、ミシン目で裂断された領域がトイレットペーパー本体に巻きつき次回使用時に取り出し難いことが多々ある。また、コンビニエンスストアーやスーパーマーケットなどで使用されているトイレットペーパーは厚みの薄いものが多く、更には該トイレットペーパー表面がエンボス加工のような凹凸が少ないために、一旦裂断部が該トイレットペーパー本体に巻きつくと裂断部が非常に分かり難く非常に取り出し難いという課題がある。
【先行技術文献】
【特許文献】
【０００３】
【特許文献１】実用新案公報実開平６−１９６９２号
【特許文献２】実用新案公報昭６４−４２９４号
【特許文献３】実用新案公報３１９０７４４号
【０００４】
【考案の概要】
【考案が解決しようとする課題】
【０００５】上記問題を解決するために、実用新案公報実開平６−１９６９２号にはミシン目の位置が分かりやすいようにミシン目のすぐ上に目印を施したトイレットペーパー、実用新案公報昭６４−４２９４号にはミシン目を取り出し方向に突出するようにミシン目を形成されて成るトイレットペーパーが考案されている。しかし、ミシン目位置が分かったとしても、或いは、ミシン目をペーパーホルダーカバーから突出させたとしてもトイレットペーパー本体に貼りつくと容易に取り出すことはできない。一方、実用新案公報３１９０７４４号には、上記課題を解決するためにトイレットペーパーミシン目と交差するように側縁に達するように斜め切り込みを入れた方式が考案されている。これによりトイレットペーパーを裂断した際に縁側の切り込み領域のみが残るために次回トイレットペーパー使用時に容易に取り出せると記載されているが、側縁部に切り込みとミシン目が共存しているため裂断時に側縁部も剥がれてしまう課題がある。
【課題を解決するための手段】
【０００６】上記課題に鑑み、考案者は誠意工夫の結果、トイレットペーパーの裂断する線上に関して、該トイレットペーパー両端からミシン目を刻した直線を会い交わらないように途中で停め、該停止点から取り出し方向に向かって突出部を設け、該突出部はミシン目でなく切り込み線を入れることを見出した。
【考案の効果】
【０００７】本考案のトイレットペーパーは、切り込み線から成る突出部とミシン目からなる領域は裂断時にそれぞれが独立した動きで切り取られるため裂断後には必ず両部位で段差が生じるために次回使用時に確実かつ容易に引き出すことが可能となる。
【図面の簡単な説明】
【０００８】
【図１】切り込み突出部が台形のトイレットペーパーである。
【図２】切り込み突出部が半円のトイレットペーパーである。
【図３】パーパートレイに設置させた状態を示す。
【考案を実施するための形態】
【０００９】以下、本考案に係る実施の形態を図面により説明する。
【実施例】
【００１０】  図１に示すように、トイレットペーパー本体１にミシン線２と取り出し方向に台形突出部３が切り込み線４により形成されている。図２は突出部形状を半円としたものである。図３は本考案のトイレットペーパーをペーパーホルダーに設置した図を示しており、切り込み線を入れた突出部が常時ペーパーホルダーから出ているためトイレットペーパー１を取り出しやすくしている。【００１１】
【産業上の利用可能性】
【００１２】本考案は、トイレットペーパーのみならずキッチンペーパーにも適用することが可能である。
【符号の説明】
【００１３】１  トイレットペーパー本体
２  ミシン線
３  突出部
４  切り込み線
５  ペーパーホルダー
【図１】
0003199733.tif 000003
【図２】
0003199733.tif 000004
【図３】
0003199733.tif 000005
(57)【要約】      （修正有）【課題】釣りをした際、釣り場所の移動あるいは、釣糸に針や仕掛け等を付ける際に簡単で瞬時に釣糸を止める空間を設け、安全性や作業利便性の向上に役立つリール用釣糸止め補助器を提供する。【解決手段】釣糸止め補助器の躯体部に釣糸止め用のゴム製Ｏ型リング３を装着し、釣糸２をまっすぐに引っ張りながらゴム製Ｏ型リング３の間に入れ込むと、釣糸止め機能が実現する。且つ、上部蓋は開閉することが可能であり、ゴム製Ｏ型リング３の交換も可能である。繰返し使用や作業利便性機能の向上に役立つ。【選択図】図１
0003199739.tif 000002
【実用新案登録請求の範囲】
【請求項１】
釣糸止め補助器の躯体部にゴム製Ｏ型リングの装着する空間を有し、Ｏ型リングを装着すると、釣糸を二つのＯ型リングの間に固定すれば、簡単に釣糸を止めることを可能とするリール用釣糸止め補助器。
【請求項２】
釣糸止め補助器の先端部に手動締め付けで開閉可能の上部蓋を設け、これにより、補助器躯体部へのゴム製Ｏ型リング装着あるいは、消耗したＯ型リングの交換が簡単で素早く出来る請求項１記載のリール用釣糸止め補助器。
【考案の詳細な説明】
【技術分野】
【０００１】  本考案は、リール用釣糸止め補助器に関するものである。
【背景技術】
【０００２】  釣り竿を手に持った状態で釣り場所を移動する際は、釣り竿に付いた釣糸を固定しないままにすると釣針が人間や衣服に引っ掛かる恐れがあり、また、釣糸を固定しないままにすると釣糸に釣り針や仕掛け等を付ける作業が難しいのである。
【先行技術文献】
【特許文献】
【０００３】    出願人が調べた範囲では先行技術文献は見当たらなかった。
【考案の概要】
【考案が解決しようとする課題】
【０００４】  釣り竿に付いた釣糸を固定しないままにすると釣針が人間や衣服に引っ掛かる恐れがあり、また、釣糸を固定しないままにすると釣糸に釣り針や仕掛け等を付けることが難しい等の問題点があった。そこで、本考案者は軸棒状にゴム製Ｏ型リング装着の出来る空間を設置し、ゴムの滑り止めの特長を生かし、リングとリングの間の窪みを利用することで釣糸を止める機能が実現でき、前述の二つの欠点を解決しようとするものである。
【課題を解決するための手段】
【０００５】  すなわち、本考案は、手動締め付けで開閉可能の上部蓋を設け、釣り糸を固定するためのゴム製Ｏ型リングを躯体部に６つまで装着し、Ｏ型リングの間に釣糸を入れると、釣糸を止めることが出来る。又、上蓋部は手動締め付けで開閉可能となるため、消耗したＯ型リングの交換も出来き、繰り返しの使用が可能とするリール用釣り糸止め補助器。
以上の手段を利用することにより釣糸が簡単に固定され問題点を解決している。
【考案の効果】
【０００６】  上述の様に、本考案のリール用釣糸止め補助器は釣糸を止めることは勿論、手動締め付けで開閉可能の上部蓋を有すため、釣糸止め用のゴム製Ｏ型リングの装着及び交換することが可能である。これにより釣りにおいての安全性と作業利便性の向上として役立つ。
【考案の実施するための最良の形態】
【０００７】補助器の躯体部にゴム製Ｏ型リングを６つ装着し、上部蓋を閉じたまま状態でリールに締め付け、釣糸をまっすぐに引っ張りながら両Ｏ型リングの間に入れ込むと釣糸止めが完了。又、上部蓋の開閉が可能なため、Ｏ型リングを交換する場合、あるいは使い方に応じてＯリングの個数を増減する場合は上部蓋を開ければ簡単に上述の作業が出来る。上部蓋を閉じたら再び使用することが可能である。
【実施例】
【０００８】以下、添付図面に従って一実施例を説明する。上部蓋４は手動締め付け式となっており、上部蓋４を躯体部５から外し、最大で６つのゴム製Ｏ型リング３を装着することが出来る。ゴム製Ｏ型リング３を躯体部５に装着後、上部蓋４を躯体部５に締め付けると釣糸止め補助器が完成する。以上が釣糸止め補助器本体１の構成である。
次に、釣糸２を止める時の操作について説明する。まず、釣糸２をまっすぐに引っ張りながら両ゴム製Ｏ型リング３の間に入れこむだけで釣糸止めが出来、作業完了は釣糸２をゴム製Ｏ型リング３から外すだけで終了する。
【図面の簡単な説明】
【０００９】
【図１】本考案の釣糸止め補助器の一実施例を示す正面図。
【図２】本器具の分解図。
【符号の説明】
【００１０】１  釣糸止め補助器本体
２  釣糸
３  ゴム製Ｏ型リング
４  上部蓋
５  躯体部
【図１】
0003199739.tif 000003
【図２】
0003199739.tif 000004
(57)【要約】      （修正有）【課題】表地及び裏地の二層構造で、アームホールに筒袖部を縫着する上衣において、着用者が腕を上げる動きを妨げないようにする上衣を提供する。【解決手段】表地及び裏地の二層構造で、アームホール５に筒袖部を縫着する上衣において、アームホール５を構成する後身頃裏地３１及び細腹部裏地４１の周縁部にわたって、２方向に伸縮する伸縮性生地からなる円弧状のアームホール裏地５１を用いたことを特徴とする上衣である。この上衣は、腕を前後又は上下の動きを妨げないことで、総じて着用者の腕を動かしやすくする。【選択図】図２
0003199799.tif 000002
【実用新案登録請求の範囲】
【請求項１】
表地及び裏地の二層構造で、アームホールに袖部を縫着する上衣において、アームホールを構成する裏地の後身頃の周縁部に、２方向に伸縮する伸縮性生地からなる円弧状のアームホール裏地を用いたことを特徴とする上衣。
【請求項２】
表地及び裏地の二層構造で、アームホールに袖部を縫着する上衣において、アームホールを構成する裏地の後身頃及び細腹部の周縁部にわたって、２方向に伸縮する伸縮性生地からなる円弧状のアームホール裏地を用いたことを特徴とする上衣。
【考案の詳細な説明】
【技術分野】
【０００１】
本考案は、着用者の腕を動かしやすくする上衣に関する。
【背景技術】
【０００２】
詰襟学生服、ブレザー、セーラー服、そして小学生の制服等の上衣は、表地及び裏地の二層構造が多く、それぞれ前身頃及び後身頃（又は前身頃、後身頃及び細腹部）が形成するアームホールに筒袖部を縫着する構成である。表地及び裏地は、前記アームホールで互いが縫着され、表地に追随して裏地がずれないようにする。
【考案の概要】
【考案が解決しようとする課題】
【０００３】
上衣は、左右方向の伸縮する伸縮性生地が裏地に用いられる。これにより、裏地が表地の動きを妨げない。しかし、アームホールに縫着される筒袖部は、腕の動きに従って前後又は上下に動く必要があり、左右方向（一方向）にのみ伸縮する伸縮性生地からなる裏地が腕の動きを阻害していた。そこで、表地及び裏地の二層構造で、アームホールに筒袖部を縫着する上衣において、着用者が腕を上げる動きを妨げないように、検討した。
【課題を解決するための手段】
【０００４】
検討の結果考案したものが、表地及び裏地の二層構造で、アームホールに筒袖部を縫着する上衣において、アームホールを構成する裏地の後身頃の周縁部に、２方向に伸縮する伸縮性生地からなる円弧状のアームホール裏地を用いたことを特徴とする上衣である。裏地が、前身頃及び後身頃に加えて細腹部を有する構成の場合、アームホールを構成する裏地の後身頃及び細腹部の周縁部にわたって、アームホール裏地を用いる。
【０００５】
本考案の上衣は、アームホールを構成する裏地の後身頃の周縁部、又は後身頃及び細腹部の周縁部にわたって、２方向に伸縮する伸縮性生地からなる円弧状のアームホール裏地を用いることにより、前後又は上下に動く筒袖部に追随して前記周縁部を自由に伸縮させる。これにより、アームホール裏地に続く従来の裏地が腕の動きを妨げない。
【考案の効果】
【０００６】
本考案の上衣は、腕を前後又は上下の動きを妨げないことで、総じて着用者の腕を動かしやすくする。これは、アームホールを構成する裏地の後身頃の周縁部、又は後身頃及び細腹部の周縁部にわたって用いられる２方向に伸縮する伸縮性生地からなる円弧状のアームホール裏地による効果である。
【図面の簡単な説明】
【０００７】
【図１】本発明を適用した詰襟学生服の一例における背面図である。
【図２】本例の裏地の一部を表す正面図である。
【考案を実施するための形態】
【０００８】
以下、本考案を実施するための形態について図を参照しながら説明する。本考案は、例えば図１に見られるように、詰襟学生服に適用される。本例の詰襟学生服は、前身頃、後身頃３及び細腹部４の周縁部で形成されるアームホール５に筒袖部１を縫着して構成される（図１は表地のみを図示）。本考案の上衣は、後身頃裏地31及び細腹部裏地41にわたる周縁部に、２方向に伸縮する伸縮性生地からなるアームホール裏地51を用いている。
【０００９】
前身頃裏地21、後身頃表地31及び細腹部裏地41は、従来同様、左右方向（一方向）に伸縮する伸縮性生地から構成される。本考案の裏地は、前記前身頃裏地21、後身頃表地31及び細腹部裏地41に加えて、図２に見られるように、後身頃裏地31及び細腹部裏地41にわたる周縁部に、２方向に伸縮する伸縮性生地からなる円弧状のアームホール裏地51を用いる。アームホール裏地51は、後身頃表地31及び細腹部裏地41にわたるアームホール５の周縁部を一部取り除き、置き換えて用いられる。
【００１０】
本例のアームホール裏地51は、一定幅でアームホール５の後方及び下方を囲む円弧状の伸縮性生地である。これにより、アームホール裏地51は、例えばアームホール５の後方を引っ張って筒袖部１を前方に向ける腕の動きに際し、アームホール５の下方に位置する部分も伸長して前記動きを妨げない。同様に、アームホール裏地51は、例えばアームホール５の下方を引っ張って筒袖部１を上方に向ける腕の動きに際し、アームホール５の後方に位置する部分も伸長して前記動きを妨げない。こうして、本考案の上衣は、腕の動きが妨げられない効果を得る。
【符号の説明】
【００１１】
１  筒袖部
21  前身頃裏地
３  後身頃
31  後身頃裏地
４  細腹部
41  細腹部裏地
５  アームホール
51  アームホール裏地
【図１】
0003199799.tif 000003
【図２】
0003199799.tif 000004
(57)【要約】      （修正有）【課題】毎日の布団の上げ下げを行う際に、かさばる布団を簡単に圧縮、一体化して、簡単に上げ下ろしできる圧縮ベルトを提供する。【解決手段】羽毛布団を丸めて小さくし外側を固定する圧縮ベルトであって幅２ｃｍ〜５ｃｍ、長さ８０ｃｍ〜１００ｃｍのゴムベルトにベルトの一方の端にＤカン金具を取り付け、もう一方の端に１５ｃｍ〜２５ｃｍのワンタッチテープを縫い付けたことを特徴とする。【選択図】図２
0003199757.tif 000002
【実用新案登録請求の範囲】
【請求項１】
羽毛布団を丸めて小さくし外側を固定する圧縮ベルトであって、幅２ｃｍ〜５ｃｍ、長さ８０ｃｍ〜１００ｃｍのゴムベルトにベルトの一方の端にDカン金具を取り付け、もう一方の端に１５ｃｍ〜２５ｃｍのワンタッチテープを縫い付けたことを特徴とする圧縮ベルト。
【考案の詳細な説明】
【技術分野】
【０００１】
本考案は羽毛布団などを収納する際にコンパクトに収納するための圧縮ベルトに関する。
【背景技術】
【０００２】
特許文献１には羽毛布団を布団袋に収納する際、羽毛布団はその内側に空気を含み、嵩高い状態を紐状または帯状の布団押えが設けられる羽毛布団に含まれた空気を効率よく押し出して、収納作業を改善させる羽毛布団袋が開示されている。一般的な羽毛布団袋は季節ごとに収納する為のものである。
しかしながら、近年、ベッドでの生活が多くなったとはいえ、まだまだ、和式布団での生活仕様は多く、毎朝、使用した空気を多く含んだ羽毛布団を押入れに収めることは主婦にとって困難な家事労働の一つである。このような作業は大変であり、布団の上げ下ろしを簡単に行うことが出来なかった。
【先行技術文献】
【特許文献】
【０００３】
【特許文献１】特開２０１０−７６８１７号公報
【考案の概要】
【考案が解決しようとする課題】
【０００４】
本考案は毎日の布団の上げ下げを行う際に、かさばる布団を簡単に圧縮、一体化して、簡単に上げ下ろしできる用具を提供することにある。
【課題を解決するための手段】
【０００５】
本考案は
（１）羽毛布団を丸めて小さくし外側を固定する圧縮ベルトであって幅２ｃｍ〜５ｃｍ、長さ８０ｃｍ〜１００ｃｍのゴムベルトにベルトの一方の端にDカン金具を取り付けもう一方の端に１５ｃｍ〜２５ｃｍのワンタッチテープを縫い付けたことを特徴とする圧縮ベルト
である。
【０００６】
羽毛布団圧縮ベルトは毎朝、羽毛布団を畳んで収納する補助具であり、本考案の圧縮ベルトは伸縮性に優れたゴムベルトを含む綿製品であって、布団をまとめて、上げ下げができるものである。
一方の端にDカン金具を取り付け、もう一方の端にワンタッチテープを取り付けた帯状の形態を特徴とする。
【考案の効果】
【０００７】
本考案の圧縮ベルトを用いると、布団を短時間で小さく丸めることができる。
本考案ベルト自体の使用は容易でどの年齢の人、例えば、高齢者や子どもといった力のない人にも簡単に扱うことができる。
本考案ベルトを用いると羽毛布団は圧縮される為、持ち運びも上げ下げも容易にできる。
小さく丸めてあるので高い場所やちょっとした隙間にも、横置きだけでなく、縦置きも収納でき、使用する時には、すぐに取り出せることができる。
羽毛布団圧縮ベルトを用いて布団が圧縮されていても、ワンタッチテープを外すならすぐにベルトは外れ、羽毛布団の中に空気が入り、快適に使用することができる。
【図面の簡単な説明】
【０００８】
【図１】本考案の圧縮ベルトの図
【図２】圧縮ベルトを布団に適用した図
【考案を実施するための形態】
【０００９】
羽毛布団圧縮ベルトは丸めた形状の羽毛布団に大きく回してワンタッチテープの付いた端をDカン金具に通して引っ張りワンタッチテープの表面と裏面をくっつけて留めることを特徴とする。
本考案のベルト二本を使用して丸めた布団の端と、もう片側の端を止めてドラム型に圧縮することができる。
羽毛布団圧縮ベルトは幅２cm〜５cm、長さ８０cm〜１００cmであることが必要で、一端にDカン金具(幅２，５ｃｍ〜４ｃｍ)を縫い付け、も他方の端にワンタッチテープ(幅２ｃｍ〜５ｃｍ  長さ１５ｃｍ〜２５ｃｍ)を縫い付けた帯状のものである。
本考案ベルトは一方の端に、端２０ｃｍ〜３０ｃｍの所にワンタッチテープの裏面を縫い付け、端２５ｃｍ〜３５ｃｍの所に表面を縫い付けたものである。尚、Dカン金具、及びワンタッチテープは、公知のものを用いることができる。
【符号の説明】
【００１０】
１    圧縮ベルト
２    Dカン金具
３    ワンタッチテープ裏面
４    ワンタッチテープ表面
【図１】
0003199757.tif 000003
【図２】
0003199757.tif 000004